(57)【要約】【課題】換気性能に優れているうえに、雨仕舞い性能にも優れている換気構造を提供する。【解決手段】片傾斜の屋根Ｙを有する建物１の水下側の軒部Ｎの長手方向に沿って、その外方に突出した外樋５が設けられており、建物１の換気空間としての屋根裏空間２とその外部とを連通させる建物１の屋根Ｙの端部から延設された水切り材１６により軒先に形成された換気口Ｅが、外樋５の上側に位置するように構成されている。【選択図】図２
2014051788.tif 000002
【特許請求の範囲】
【請求項１】
建物の軒部の長手方向に沿って、その外方に突出した外樋が設けられており、前記建物の換気空間とその外部とを連通させる前記建物の軒先に形成された換気口が、前記外樋の上側に位置するように構成されていることを特徴とする換気構造。
【請求項２】
前記換気口の外側面は、前記建物の屋根の端部から延設した水切り材で形成されていることを特徴とする請求項１に記載の換気構造。
【請求項３】
前記換気口の入口は、前記外樋の外側上縁部よりも下方に位置するように設定されていることを特徴とする請求項１又は２に記載の換気構造。
【請求項４】
前記換気口内には、換気経路を確保する長さで前記建物内側から前記建物外側に向かって突出する水返し部が設けられていることを特徴とする請求項１乃至３のいずれか１項に記載の換気構造。
【請求項５】
前記換気口内の入口近傍には、前記軒部の長手方向に延びるスリット孔が形成された防鳥・防水板部が設けられていることを特徴とする請求項１乃至４のいずれか１項に記載の換気構造。
【請求項６】
請求項１乃至５のいずれか１項に記載の換気構造を備えていることを特徴とする建物。
【請求項７】
前記建物は片傾斜した屋根を有し、前記換気空間は、前記屋根の下側に形成された片傾斜した屋根裏空間であり、前記屋根の水下側の前記軒先に、前記換気口が給気用の換気口として形成されているとともに、前記屋根の水上側の軒部には前記屋根裏空間と連通する排気用の換気口が形成されていることを特徴とする請求項６に記載の建物。
【発明の詳細な説明】
【技術分野】
【０００１】
本発明は、建物の換気構造、及びこの換気構造を備えた建物に関するものである。
【背景技術】
【０００２】
近年の建物においては、建物本体の耐久性を高めるためなどの目的で、屋根裏などの換気が行える換気構造が多く実施されている。
【０００３】
例えば特許文献１に開示された換気構造では、雨仕舞いを考慮して、軒部の下側に換気口が設けられ、屋根裏空間と連通している。
【０００４】
また、特許文献２〜４などには、軒先から水切り材の先端を外樋の上側に位置するように延設した技術が開示されている。
【先行技術文献】
【特許文献】
【０００５】
【特許文献１】特開２００９−１３６７８号公報
【特許文献２】特開平０４−２０２９３５号公報
【特許文献３】特開２０１１−３２７２０号公報
【特許文献４】特開２００８−１５０９０４号公報
【発明の概要】
【発明が解決しようとする課題】
【０００６】
特許文献１のような従来の換気構造では、換気口が略下向きに開口しているので、上方向や横方向からの風雨の浸入は防げるものの、下方向からの風雨の浸入に対する対策は不十分であり、雨仕舞い性能の点で、改良の余地があった。
【０００７】
なお、特許文献２〜４などに開示された従来技術における水切り材は、単に雨水を外樋内にうまく誘導させるためのものであり、換気構造における雨仕舞い性能を向上させるものではなかった。
【０００８】
そこで、本発明は、換気性能に優れているうえに、雨仕舞い性能にも優れている換気構造、及びこの換気構造を備えた建物を提供することを目的としている。
【課題を解決するための手段】
【０００９】
前記目的を達成するために、本発明の換気構造は、建物の軒部の長手方向に沿って、その外方に突出した外樋が設けられており、前記建物の換気空間とその外部とを連通させる前記建物の軒先に形成された換気口が、前記外樋の上側に位置するように構成されていることを特徴とする。
【００１０】
ここで、前記換気口の外側面は、前記建物の屋根の端部から延設した水切り材で形成されているとよい。
【００１１】
また、前記換気口の入口は、前記外樋の外側上縁部よりも下方に位置するように設定されているとよい。
【００１２】
さらに、前記換気口内には、換気経路を確保する長さで前記建物内側から前記建物外側に向かって突出する水返し部が設けられているとよい。
【００１３】
また、前記換気口内の入口近傍には、前記軒部の長手方向に延びるスリット孔が形成された防鳥・防水板部が設けられているとよい。
【００１４】
本発明の建物は、上記した換気構造を備えていることを特徴とする。
【００１５】
ここで、前記建物は片傾斜した屋根を有し、前記換気空間は、前記屋根の下側に形成された片傾斜した屋根裏空間であり、前記屋根の水下側の前記軒先に、前記換気口が給気用の換気口として形成されているとともに、前記屋根の水上側の軒部には前記屋根裏空間と連通する排気用の換気口が形成されているとよい。
【発明の効果】
【００１６】
このような本発明の換気構造は、建物の軒部の長手方向に沿って、その外方に突出した外樋が設けられており、建物の換気空間とその外部とを連通させる建物の軒先に形成された換気口が、外樋の上側に位置するように構成されている。
【００１７】
こうした構成なので、外樋の下面により換気口の下方向からの風雨の浸入が抑止されるため、換気性能に優れているうえに、雨仕舞い性能にも優れている。
【００１８】
ここで、換気口の外側面は、建物の屋根の端部から延設した水切り材で形成されている場合は、こうした換気口を簡易に形成することができる。
【００１９】
また、換気口の入口は、外樋の外側上縁部よりも下方に位置するように設定されている場合は、外樋の外側面により、換気口の横方向から回り込んでの風雨の浸入が抑制されるため、より雨仕舞い性能に優れたものとすることができる。
【００２０】
さらに、換気口内には、換気経路を確保する長さで建物内側から建物外側に向かって突出する水返し部が設けられている場合は、この水返し部により、万一換気口から雨水が上ってきても排除できるので、さらにより雨仕舞い性能に優れたものとすることができる。
【００２１】
また、換気口内の入口近傍には、軒部の長手方向に延びるスリット孔が形成された防鳥・防水板部が設けられている場合は、この防鳥・防水板部により、鳥などが侵入したり巣を作ったりするのを防止することができるうえに、さらにより雨仕舞い性能に優れたものとすることができる。
【００２２】
このような本発明の建物は、上記した換気構造を備えた構成とされている。
【００２３】
こうした構成なので、上記した効果を奏する建物を構築することができる。
【００２４】
ここで、建物は片傾斜した屋根を有し、換気空間は、屋根の下側に形成された片傾斜した屋根裏空間であり、屋根の水下側の軒先に、換気口が給気用の換気口として形成されているとともに、屋根の水上側の軒部には屋根裏空間と連通する排気用の換気口が形成されている場合は、屋根裏空間内は建物の外側に比べて暖かいので、給気用の換気口から給気された換気用の空気は、屋根裏空間内の上昇気流にのって排気用の換気口から排気され、効率の良い換気が行える。
【図面の簡単な説明】
【００２５】
【図１】実施例１の換気構造を備えた建物の概略構成を示す説明図である。
【図２】図１におけるＡ−Ａ線矢視拡大断面図であって、実施例１の換気構造の概略構成を示す説明図である。
【図３】実施例２の換気構造の概略構成を示す説明図である。
【発明を実施するための形態】
【００２６】
以下、本発明を実施するための形態を、図面に示す実施例１，２に基づいて説明する。
【実施例１】
【００２７】
先ず、実施例１の構成について説明する。
【００２８】
図１は、実施例１の換気構造を備えた建物１の概略構成を示している。
【００２９】
この建物１は、図１に示したように、片傾斜した屋根Ｙを有している。
【００３０】
この実施例１の換気構造の要部は、図２に示したように、この片傾斜した屋根Ｙの水下側に構成されている。
【００３１】
この建物１では、図２に示したように、軒部Ｎを構成する溝形鋼の軒梁３のウェブ部の長手方向に沿って、桟材４を介して、建物１の外方に突出した外樋５が設けられている。
【００３２】
なお、この外樋５の水下側（紙面手前側）には、図示省略の下部が下水道に繋がった縦樋が連通して設けられ、外樋５内に溜まった雨水が排水可能とされている。
【００３３】
また、桟材４と外樋５との間には、上部に建物１の外方に向いた水返し部６１を有し、下部に建物１の内方に向いた水返し部６２を有する断面略Ｚ字状の水返し部材６が挟み込まれて設けられている。
【００３４】
さらに、軒梁３は、フランジ部間に防水パッキン７を介して、溝形鋼の屋根梁８で支持されている。
【００３５】
また、屋根梁８の上側フランジ部と外壁９の上端部との間には、防水シート１９が貼設されている。
【００３６】
さらに、片傾斜した屋根Ｙを構成する野地板１０の下面は、垂木１１，・・・で支持されている。
【００３７】
ここで、最下部の垂木１１を受ける断面略Ｌ字状の垂木受材１２の立ち上がり部と軒梁３の上側フランジ部との間には、断面略Ｖ字状の支持材１３が設けられている。
【００３８】
この支持材１３は、屋根Ｙの大きな荷重を軒梁３へ伝達でき、しかも、換気経路も確保できるように、軒梁３の長手方向に沿って所定の間隔をあけて、複数個設けられている。
【００３９】
また、野地板１０の上面には、屋根材１４が敷設されて、片傾斜した屋根Ｙが構成されている。
【００４０】
この屋根材１４の下端部には、フック部１４ａが形成されており、このフック部１４ａには、フック部１５ａが係合されて、クリップ部材１５が設けられている。
【００４１】
このクリップ部材１５と野地板１０の下端部との間に水切り材１６の上端部を挟み込んで固定することにより、水切り材１６が屋根Ｙの軒先から延設されている。
【００４２】
この水切り材１６の下端部１６ａは、水返し部材６の水返し部６１の先端部から間隔をあけて、外樋５の上側の中央部寄りから外樋５の外側上縁部よりも若干下方に位置するまで垂下している。
【００４３】
これにより、この実施例１の換気構造の換気口Ｅが形成されている。
【００４４】
ここで、換気口Ｅの入口近傍には、軒部Ｎの長手方向に延びる複数のスリット孔が形成された防鳥・防水板部１７が設けられている。
【００４５】
そして、矢印Ｗで示したように、換気口Ｅから給気された空気は、換気空間としての屋根裏空間２へと入り、屋根裏空間２内を換気した後、屋根Ｙの水上側の軒部に形成された図示を省略した換気口から排気される。
【００４６】
次に、実施例１の作用効果について説明する。
【００４７】
このような実施例１の換気構造は、建物１の軒部Ｎの長手方向に沿って、その外方に突出した外樋５が設けられており、建物１の換気空間としての屋根裏空間２とその外部とを連通させる建物１の軒先に形成された換気口Ｅが、外樋５の上側に位置するように構成されている。
【００４８】
こうした構成なので、外樋５の下面により換気口Ｅの下方向からの風雨の浸入が抑止されるため、換気性能に優れているうえに、雨仕舞い性能にも優れている。
【００４９】
ここで、換気口Ｅの外側面は、建物１の屋根Ｙの端部から延設した水切り材１６で形成されている。
【００５０】
このため、こうした換気口Ｅを簡易に形成することができる。
【００５１】
また、換気口Ｅの入口は、外樋５の外側上縁部よりも下方に位置するように設定されている。
【００５２】
このため、外樋５の外側面により、換気口Ｅの横方向から回り込んでの風雨の浸入が抑制されるため、より雨仕舞い性能に優れたものとすることができる。
【００５３】
さらに、換気口Ｅ内には、換気経路を確保する長さで建物１の内側から建物１の外側に向かって突出する水返し部６１が設けられている。
【００５４】
このため、この水返し部６１により、万一換気口Ｅから雨水が上ってきても排除できるので、さらにより雨仕舞い性能に優れたものとすることができる。
【００５５】
また、換気口Ｅ内の入口近傍には、軒部Ｎの長手方向に延びるスリット孔が形成された防鳥・防水板部１７が設けられている。
【００５６】
このため、この防鳥・防水板部１７により、鳥などが侵入したり巣を作ったりするのを防止することができるうえに、さらにより雨仕舞い性能に優れたものとすることができる。
【００５７】
このような実施例１の建物１は、上記した実施例１の換気構造を備えた構成とされている。
【００５８】
こうした構成なので、上記した実施例１の換気構造の作用効果を奏する建物を構築することができる。
【００５９】
ここで、建物１は片傾斜した屋根Ｙを有し、換気空間は、屋根Ｙの下側に形成された片傾斜した屋根裏空間２であり、屋根Ｙの水下側の軒先に、換気口Ｅが給気用の換気口として形成されているとともに、屋根Ｙの水上側の軒部には屋根裏空間２と連通する図示を省略した排気用の換気口が形成されている。
【００６０】
このため、屋根裏空間２内は建物１の外側に比べて暖かいので、給気用の換気口Ｅから給気された換気用の空気は、屋根裏空間２内の上昇気流にのって図示を省略した排気用の換気口から排気され、効率の良い換気が行える。
【実施例２】
【００６１】
次に、実施例２について説明する。
【００６２】
なお、実施例１で説明した内容と同一乃至均等な部分の説明については同一符号を付して説明する。
【００６３】
図３は、実施例２の換気構造の概略構成を示している。
【００６４】
この実施例２の換気構造では、野地板１０の下端部と水返し部材６との間に、立ち上がり部において軒部Ｎの長手方向に延びる複数のスリット孔が形成された断面略逆Ｌ字状の防水部材１８が設けられていることが実施例１の換気構造と主に異なる。
【００６５】
このため、防水部材１８を設けた分、さらにより雨仕舞い性能に優れたものとすることができる。
【００６６】
なお、他の構成及び作用効果については、実施例１と略同様であるので説明を省略する。
【００６７】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【００６８】
例えば、上記した実施例１，２では、片傾斜した屋根Ｙを有する建物１で実施したが、これに限定されず、平屋根の建物などで実施してもよい。
【００６９】
また、上記した実施例１，２では、換気空間を屋根裏空間として実施したが、これに限定されず、例えば、換気空間をバルコニーの床下空間などにして実施してもよい。
【符号の説明】
【００７０】
１      建物
２      屋根裏空間（換気空間）
３      軒梁
４      桟材
５      外樋
６      水切り部材
６１    水切り部
６２    水切り部
７      防水パッキン
８      屋根梁
９      外壁
１０    野地板
１１    垂木
１２    垂木受材
１３    支持材
１４    屋根材
１４ａ  フック部
１５    クリップ部材
１５ａ  フック部
１６    水切り材
１６ａ  水切り材の下端部
１７    防鳥・防水板部
１８    防水部材
１９    防水シート
Ｅ      換気口
Ｎ      軒部
Ｙ      屋根
【図１】
2014051788.tif 000003
【図２】
2014051788.tif 000004
【図３】
2014051788.tif 000005